(57)【要約】【課題】  ヘッドを案内する案内部材の傾き調整を行う際に、ヘッドに移動力を与える移送機構と移送モータとの相対位置の変化がなく、ヘッドに適正な移動力を与えることができる「ディスク装置」を提供することを目的とする。【解決手段】  基準シャフト１６Ａの両端部１６Ａ１，１６Ａ２が支持テーブル４２に固定され、支持テーブル４２に、ピニオン歯車４３を有する移送モータＭ２が固定されている。支持テーブル４２は、調整ねじ４８，４９によりドライブシャーシ８に螺着されている。調整ねじ４８と４９のねじ込み量を変えることで、基準シャフト１６Ａの姿勢を調整できるとともに、支持テーブル４２も一緒に傾く。よって、基準シャフト１６Ａの傾きを変化させる際に、ラック部材４１とピニオン歯車４３との相対位置が変化することがなく、ピニオン歯車４３とラック部材４１との噛み合い状態を常に適正に維持できる。【選択図】図２
2008090960.tif 000002
【特許請求の範囲】
【請求項１】
ディスクを回転駆動するスピンドルモータと、ディスクに対向して記録動作と再生動作の少なくとも一方を行うヘッドと、前記ヘッドをディスクの面に沿って案内する第１と第２の案内部材と、前記ヘッドを前記両案内部材に沿って移動させる移送モータとが設けられたディスク装置において、
ドライブベースに前記スピンドルモータと前記第２の案内部材が固定され、ドライブベースに取り付けられる支持テーブルに前記第１の案内部材と前記移送モータとが固定されるとともに、前記ヘッドと前記移送モータとの間に、前記移送モータの回転力を前記ヘッドの移動力に変換する移送機構が設けられており、
前記ドライブベースに対する前記支持テーブルの取付け角度を調整する調整機構が設けられ、前記調整機構で前記支持テーブルの取付け角度を調整することにより、前記移送モータと前記第１の案内部材との相対位置を変えることなく、前記ドライブベースに対する前記第１の案内部材の取付け姿勢を変化させることが可能であることを特徴とするディスク装置。
【請求項２】
前記移送モータの回転軸が、前記第１の案内部材の案内方向と直交する方向へ向けられて、この回転軸にピニオン歯車が固定されており、前記移送機構は、歯の並び方向が前記ヘッドの移動方向であるラック部材を有し、前記ピニオン歯車が前記ラック部材に噛み合っている請求項１記載のディスク装置。
【請求項３】
前記調整機構は、前記第１の案内部材の長手方向の両端部付近において、前記ドライブベースと前記支持テーブルとの間隔を可変でき、前記両端部の間で且つ前記第１の案内部材から離れた位置に、前記支持テーブルの傾き支点が設定されている請求項１または２記載のディスク装置。
【請求項４】
前記第１の案内部材の長手方向の両端部付近のそれぞれには、前記支持テーブルに挿通されて前記ドライブベースに螺着された調整ねじと、前記支持テーブルを前記ドライブベースと離れる方向へ付勢するばね部材とが設けられている請求項１ないし３のいずれかに記載のディスク装置。
【発明の詳細な説明】
【技術分野】
【０００１】
本発明は、ディスクを回転駆動する回転駆動部と、ディスクに沿って移動するヘッドとを備えたディスク装置に関する。
【背景技術】
【０００２】
ＣＤ（コンパクト・ディスク）またはＤＶＤ（ディジタル・バーサタイル・ディスク）などを駆動するディスク装置では、ディスクがターンテーブルにクランプされてターンテーブルと共に回転駆動される。ディスクに記録された情報を読取りまたはディスクに情報を記録するヘッドは、一対の案内部材により、ディスクの面に沿って往復移動できるように支持されており、ヘッドはモータの動力によりディスクに沿って移動させられる。
【０００３】
モータの動力をヘッドの移動力に変換するスレッド機構では、ヘッドの移動方向に沿って延びるスクリュー軸が設けられ、ヘッドに設けられた掛止部がスクリュー軸の溝に掛止されて、スクリュー軸の回転に伴なってヘッドが移動させられる。あるいは、ヘッドにラックが設けられ、ピニオン歯車の回転力がラックに与えられて、ヘッドが移動させられる。
【０００４】
この種のディスク装置では、ヘッドに設けられた対物レンズから照射される検知光の光軸が、ディスクの記録面に対しなるべく垂直に向けられていることが必要である。光軸がディスクの記録面に対して大きく斜めに傾いて当てられると、記録面に形成される検知光のスポットの形状が歪み、情報の再生精度が低下する。そこで、ヘッドを案内する案内部材と、ディスクをクランプするターンテーブルの回転軸との相対位置を、直交関係となるように調整することが必要である。
【０００５】
特許文献１に記載のディスク装置では、第１のシャーシに、ターンテーブルを駆動するスピンドルモータが取り付けられ、第１のシャーシの上側に組み付けられる第２のシャーシに、ヘッドを移動させるスレッド機構が搭載されている。このスレッド機構は、第２のシャーシに、互いに平行に配置されたガイド軸とスクリュー軸、およびスクリュー軸を駆動する駆動モータが搭載されている。そして、第２のシャーシ上で、ガイド軸とスクリュー軸の傾きを調整する調整機構が搭載されている。
【特許文献１】特開２００１−２１６６５８号公報
【特許文献２】特開２００１−６３０２号公報
【特許文献３】特開２００２−２５２０６号公報
【発明の開示】
【発明が解決しようとする課題】
【０００６】
特許文献１に記載のように、従来のディスク装置では、第２のシャーシに、一対の案内部材であるガイド軸とスクリュー軸とが、その取付け角度を調整できるように取り付けられている。その一方で、駆動モータは、同じシャーシ上に固定されている。そのため、ガイド軸とスクリュー軸の取付け角度を変えて、ディスクに対するヘッドの向きを調整する際に、駆動モータとスクリュー軸との相対角度も変化してしまう。
【０００７】
駆動モータとスクリュー軸との動力伝達経路では、駆動モータの回転軸とスクリュー軸とが平行に配置され、回転軸とスクリュー軸とが歯車で連結されている。したがって、駆動モータの回転軸とスクリュー軸との平行度がある程度低下しても、駆動モータからスクリュー軸に動力を伝達することが可能である。ただし、駆動モータの回転軸とスクリュー軸との平行度が大きく変化すると、駆動モータに作用する負荷が増大するおそれがある。
【０００８】
また、ヘッドにラック部材が設けられ、モータの動力で駆動されるピニオン歯車がラック部材の歯に噛み合っているスレッド機構の場合には、ガイド軸の角度を変えてしまうと、ラック部材も傾き、ラックが移動するにしたがって、ラックの歯とピニオン歯車との噛み合い位置が変化することになる。この場合に、ラックの歯とピニオン歯車とを常に噛み合わせるためには、軸方向の厚み寸法の大きいピニオン歯車を使用することが必要になり、装置を薄型化するのが困難となる。
【０００９】
本発明は上記従来の課題を解決するものであり、ヘッドを案内する案内部材の角度を変化する調整を行ったとしても、モータと案内部材との相対位置を常に保つことができ、調整作業に基づくヘッドの移送不良や移動負荷の増大を防止できるディスク装置を提供することを目的としている。
【課題を解決するための手段】
【００１０】
本発明は、ディスクを回転駆動するスピンドルモータと、ディスクに対向して記録動作と再生動作の少なくとも一方を行うヘッドと、前記ヘッドをディスクの面に沿って案内する第１と第２の案内部材と、前記ヘッドを前記両案内部材に沿って移動させる移送モータとが設けられたディスク装置において、
ドライブベースに前記スピンドルモータと前記第２の案内部材が固定され、ドライブベースに取り付けられる支持テーブルに前記第１の案内部材と前記移送モータとが固定されるとともに、前記ヘッドと前記移送モータとの間に、前記移送モータの回転力を前記ヘッドの移動力に変換する移送機構が設けられており、
前記ドライブベースに対する前記支持テーブルの取付け角度を調整する調整機構が設けられ、前記調整機構で前記支持テーブルの取付け角度を調整することにより、前記移送モータと前記第１の案内部材との相対位置を変えることなく、前記ドライブベースに対する前記第１の案内部材の取付け姿勢を変化させることが可能であることを特徴とするものである。
【００１１】
本発明のディスク装置では、支持テーブルに、第１の案内部材と移送モータの双方が取り付けられている。よって、第１の案内部材に案内されて移動するヘッドの一方の側部と移送モータとの相対位置が変化しない。また、ドライブベースに対する支持テーブルの取付け角度を変化させることにより、第１の案内部材の取付け角度を調整できる。しかも、第１の案内部材と移送モータとの相対位置を変えることなく、第１の案内部材の取付け角度と第２の案内部材の取付け角度を、互いに独立して変化させることができる。したがって、ヘッドに設けられた対物レンズの光軸を、タンゼンシャル方向とラジアル方向の双方へ調整することができる。
【００１２】
本発明は、前記移送モータの回転軸が、前記第１の案内部材の案内方向と直交する方向へ向けられて、この回転軸にピニオン歯車が固定されており、前記移送機構は、歯の並び方向が前記ヘッドの移動方向であるラック部材を有し、前記ピニオン歯車が前記ラック部材に噛み合っているものである場合に有効である。
【００１３】
本発明では、第１の案内部材の取付け角度を変化させても、ピニオン歯車とラック部材との相対位置が変化しないため、ピニオン歯車の厚みを最小限にしても、ラック部材とピニオン歯車とが外れることが生じにくい。
【００１４】
また本発明は、前記調整機構は、前記第１の案内部材の長手方向の両端部付近において、前記ドライブベースと前記支持テーブルとの間隔を可変でき、前記両端部の間で且つ前記第１の案内部材から離れた位置に、前記支持テーブルの傾き支点が設定されていることが好ましい。
【００１５】
例えば、本発明は、前記第１の案内部材の長手方向の両端部付近のそれぞれには、前記支持テーブルに挿通されて前記ドライブベースに螺着された調整ねじと、前記支持テーブルを前記ドライブベースと離れる方向へ付勢するばね部材とが設けられているものである。
【００１６】
上記調整機構では、２つの調整ねじにより、第１の案内部材の傾きを調整でき、このとき、支持テーブルは、傾き支点を中心として傾斜させられる。よって、複雑な調整作業を行わなくても、第１の案内部材の傾きを変えることができる。
【発明の効果】
【００１７】
本発明のディスク装置では、第１の案内部材の角度を調整することで、この案内部材でガイドされるヘッドの傾き姿勢を調整することができる。また、ヘッドの姿勢の調整を行っても、第１の案内部材と移送モータとの相対位置が大きく変化することがない。
【発明を実施するための最良の形態】
【００１８】
図１は本発明の実施の形態のディスク装置を、底面を紙面手前に向けて示す底面図、図２は機構ユニットを底面を上に向けて示す分解斜視図、図３は機構ユニットを、底面を紙面手前側に向けて示す底面図、図４（Ａ）は図３のＡ−Ａ線で切断した断面図、図４（Ｂ）は図３のＢ−Ｂ線で切断した断面図、図５は支持テーブルの支点部の拡大斜視図、図６は前記支点部の拡大断面図である。
【００１９】
各図では、図示Ｘ１方向が右方向、Ｘ２方向が左方向、Ｙ１方向が前方、Ｙ２方向が後方、Ｚ１方向が上方向、Ｚ２方向が下方向である。
【００２０】
ディスク装置１は、ＣＤ（コンパクト・ディスク）やＤＶＤ（デジタル・バーサタイル・ディスク）などのディスクが装填可能である。ディスク装置１は、車載用機器の１ＤＩＮサイズよりもさらに薄い大きさの図示しない筐体を有する。筐体の前面には、液晶表示パネルや各種スイッチ類を有するノーズ部が設けられ（図示せず）、前記ノーズ部に幅方向（Ｘ方向）に延びるスリット状の挿入口が設けられている。
【００２１】
ディスク装置１は、筐体内に、図１に示す機構ユニット２が収納されている。機構ユニット２には、図１の紙面手前側に向けられているボトムシャーシ１０と、このボトムシャーシ１０よりも上方（Ｚ１方向）に間隔を空けて対向しているトップシャーシ１１とを有している。ボトムシャーシ１０またはトップシャーシ１１の４隅部は、ダンパー７０を介して筐体の内部に取り付けられており、ディスクＤからの読み取り動作を行っているときに、筐体に作用する外部振動が機構ユニット２に直接に作用せず、読取り動作に与える影響を低減できるようにしている。
【００２２】
ボトムシャーシ１０には、ドライブベース８が設けられ、トップシャーシ１１には、クランプアームが支持されている。ドライブベース８には、回転駆動部４が設けられている。この回転駆動部４には、スピンドルモータ５が設けられ、図４（Ａ）に示すように、スピンドルモータ５のＺ１方向へ突出する回転軸に、ターンテーブル１５が固定されている。また、前記クランプアームにターンテーブル１５に対向するクランパが回転自在に支持されている。
【００２３】
図１に示すように、ボトムシャーシ１０には、２つの搬送ローラ（搬送手段）６Ａ，６Ｂが設けられている。またトップシャーシ１１には、前記搬送ローラ６Ａ，６ＢとでディスクＤを挟む合成樹脂製の滑り部材が設けられている。
【００２４】
トップシャーシ１１には一対の検知ピン２６，２６が、互いに接近しまたは遠ざかることができるように動作自在に設けられている。また、検知ピン２６，２６は互いに接近する方向へ付勢されている。
【００２５】
図１に示すように、トップシャーシ１１の両側部に折り曲げられた折り曲げ側部には、左側方スライダ３Ａと右側方スライダ３Ｂが、それぞれＹ１−Ｙ２方向へ摺動自在に支持されている。ボトムシャーシ１０には駆動部材２０が設けられている。切換えモータＭ１の動力により駆動部材２０が時計方向へ回動させられると、左側方スライダ３ＡがＹ１方向へ移動させられる。さらに、駆動部材２０の動力がスライダリンク３１と逆転リンク３２を介して右側方スライダ３Ｂに伝達されて、右側方スライダ３Ｂが、左側方スライダ３Ａと共にＹ１方向へ移動させられる。前記左側方スライダ３Ａおよび右側方スライダ３Ｂには、クランプアームを持ち上げる持ち上げカムや、搬送ローラ６Ａ，６Ｂを下方向へ退避させるカムが設けられている。
【００２６】
図１は、ディスク挿入待機状態であり、クランプアームが持ち上げられてクランパがターンテーブル１５から離れている。また搬送ローラ６Ａ，６Ｂがばねの力で滑り部材に圧接させられている。
【００２７】
挿入口からディスクＤが挿入され、ディスクＤにより検知ピン２６と検知ピン２６の間隔が広げられ、これが検知されると、搬送ローラ６Ａ，６Ｂが始動し、ディスクＤが、搬送ローラ６Ａ，６Ｂと滑り部材とで挟持され、搬送ローラ６Ａ，６Ｂの回転力で、ディスクＤが機構ユニット２内に送り込まれる。ディスクＤの中心穴がターンテーブル１５の中心に一致するまで、ディスクＤが送り込まれたことが検知されると、切換えモータＭ１が始動し、左側方スライダ３Ａと右側方スライダ３Ｂが共にＹ１方向へ移動させられる。
【００２８】
そして、左側方スライダ３Ａと右側方スライダ３Ｂに設けられた持ち上げカムによりクランプアームの持ち上げが解除され、クランパがばねの力でターンテーブル１５に向けて付勢され、ディスクＤが、ターンテーブル１５とクランパとで挟まれてクランプされる。さらに、左側方スライダ３Ａと右側方スライダ３Ｂに設けられたカムにより、搬送ローラ６Ａ，６Ｂが、ディスクから離れる位置に下降させられる。そして、スピンドルモータ５でディスクＤが回転駆動される。
【００２９】
図２と図３に示すように、前記ボトムシャーシ１０に取り付けられているドライブシャーシ８は、板金材料で形成されており、上面板８ａと、この上面板８ａの周囲のほぼ全域からＺ２方向に向けて折り曲げられた折曲部８ｂとを有している。上面板８ａには、後述するヘッド１８の移動領域となる切欠き部８ｄが形成されている。ドライブシャーシ８の底部では、前記上面板８ａからＺ２方向に間隔空けてモータ支持板８ｃが設けられている。モータ支持板８ｃは、ドライブシャーシ８を形成している前記板金と一体に形成され、あるいは前記板金と別体の金属板で形成されて、前記上面板８ａにねじ止めなどの手段で固定されている。図４（Ａ）に示すように、ターンテーブル１５を駆動する前記スピンドルモータ５は、その底面が、モータ支持板８ｃのＺ１側の面に設置されて固定されている。このスピンドルモータ５の回転軸に固定されたターンテーブル１５が、前記切欠き部８ｄから、Ｚ１方向へ突出し、ターンテーブル１５は、上面板８ａからＺ１方向に離れた位置にある。
【００３０】
ドライブシャーシ１０の上面板８ａのＺ２側に向く面には、基準シャフト１６Ａと案内シャフト１６Ｂが設けられている。基準シャフト１６Ａは、第１の案内部材であり、ヘッド１８が移動する際の案内基準となる。ガイド軸１６Ｂは、第２の案内部材である。基準シャフト１６Ａと案内シャフト１６Ｂは、ステンレススチールなどの金属で形成された丸棒である。
【００３１】
ヘッド１８はヘッドベース１７を有している。ヘッドベース１７はアルミニウム合金などの軽金属材料で形成されている。ヘッドベース１７の一方の側部には、移動基準となる軸受部１７ａ，１７ａがヘッド１８の移動方向に間隔を空けて一体に形成されている。それぞれの軸受部１７ａ，１７ａには、丸穴の摺動穴１７ｂ，１７ｂが貫通して形成されており、前記基準シャフト１６Ａがこの丸穴１７ｂ，１７ｂ内に摺動自在に挿入されている。ヘッドベース１７の他方の側部にはＵ字溝を有する案内部１７ｃが形成され、この案内部１７ｃが、案内シャフト１６Ｂを上下から挟むように摺動自在に設置される。ヘッドベース１７は、基準シャフト１６Ａを基準とし、基準シャフト１６Ａと案内シャフト１６Ｂに沿ってＰ−Ｑ方向へ移動自在である。
【００３２】
ヘッドベース１７内には、半導体レーザなどの発光素子と、この発光素子から発せられた光をディスクの記録面に与える対物レンズと、ディスクの記録面から反射された反射光を受光する受光素子などが内蔵されている。
【００３３】
図２と図３に示すように、前記モータ支持板８ｃのＺ２側に向く面には、板ばね５１が設けられており、その基部５１ａが、前記モータ支持板８ｃにねじ止めで固定されている。板ばね５１には、ほぼＱ方向に延びる弾性腕５１ｃが形成されており、この弾性腕５１ｃの先部には、Ｐ−Ｑ方向と直交する方向に延びる押圧部５１ｂが折り曲げて形成されている。
【００３４】
また、ドライブベース８のＱ方向側にも板ばね５２が設けられている。この板ばね５２の基部５２ａは、ドライブベース８の上面板８ａのＺ２側に向く面に設置され、ねじ止めで固定されている。板ばね５２には弾性腕５２ｃが形成され、この弾性腕５２ｃの先部に押圧部５２ｂが折り曲げられて形成されている。
【００３５】
ドライブベース８の上面板８ａのＺ２側に向く面には、支持テーブル４２が設置されている。この支持テーブル４２は、合成樹脂材料により射出成型されている。支持テーブル４２には四角形の開口部４２ＡがＺ１−Ｚ２方向に貫通して形成されており、この開口部４２Ａに保持金具４４が固定されている。移送モータＭ２は、そのＺ２側の面が保持金具４４のＺ１側に向く面に設置されて、移送モータＭ２が保持金具４４に固定されている。
【００３６】
移送モータＭ２は、Ｚ１−Ｚ２方向での厚み寸法が薄いステッピングモータである。移送モータＭ２の回転軸４３ａは、保持金具４４に形成された穴からＺ２方向へ突出し、保持金具４４よりもＺ２側において、回転軸４３ａにピニオン歯車４３が固定されている。前記回転軸４３ａの軸方向は、ヘッド１８の移動方向であるＰ−Ｑ方向と直交する向きである。
【００３７】
図２および図４（Ａ）に示すように、前記支持テーブル４２のＰ側の端部には、軸支持部４６が一体に形成されている。軸支持部４６には、Ｚ１方向に開放してＺ２方向に向けて窪む保持凹部４６ａが形成されている。図４（Ａ）に示すように、基準シャフト１６ＡのＰ側に向く端部１６Ａ１が、前記保持凹部４６ａ内に挿入されている。図４（Ａ）に示すように、保持凹部４６Ａの内幅寸法は、基準シャフト１６Ａの直径寸法にほぼ一致している。よって、基準シャフト１６Ａは、保持凹部４６Ａ内にほぼがたつくことなく挿入される。そして、図４（Ａ）に示すように、前記板ばね５１の押圧部５１ｂが、基準シャフト１６Ａの端部１６Ａ１のＺ１側の表面に圧接され、板ばね５１の弾性腕５１ｃの弾圧力により、端部１６Ａ１が、保持凹部４６ａの底面４６ａ１に押し付けられるとともに、支持テーブル４２の軸支持部４６がＺ２方向へ付勢されている。
【００３８】
図２に示すように、支持テーブル４２に設けられた前記軸支持部４６では、前記保持凹部４６ａの直近位置に、Ｚ１−Ｚ２方向へ貫通する支持穴４６ｂが形成されている。図２に示すように、前記支持穴４６ｂには、調整ねじ４８がＺ１方向へ向けて挿入されており、この調整ねじ４８が、ドライブベース８の上面板８ａに螺着されている。前記支持テーブル４２は、前記板ばね５１によってＺ２方向へ押圧されて、調整ねじ４８の頭部４８ａに押し付けられている。よって、調整ねじ４８のねじ込み量を変えることで、ドライブベース８の上面板８ａと、基準シャフト１６Ａの端部１６Ａ１との間隔を調整することができる。支持テーブル４２の軸支持部４６では、調整ねじ４８と板ばね５１とで調整機構が構成されている。
【００３９】
支持テーブル４２ではＱ側に軸保持部４７が設けられ、この軸保持部４７に、Ｚ１方向へ開放されてＺ２方向へ窪んで形成された保持凹部４７ａが形成されている。基準シャフト１６ＡのＱ側に向けられた端部１６Ａ２は、前記保持凹部４７ａ内に隙間なく挿入されている。そして、板ばね５２の押圧部５２ｂによって、端部１６Ａ２が、保持凹部４７ａの底面４７ａ１に押し付けられている。支持テーブル４２の軸保持部４７には支持穴４７ｂが開口しており、調整ねじ４９が支持穴４７ｂに挿入されて、ドライブベース８の上面板８ａに螺着されている。この調整ねじ４９のねじ込み量を調整することで、基準シャフト１６Ａの端部１６Ａ２と上面板８ａとの間隔を調整することができる。支持テーブル４２の軸支持部４７では、調整ねじ４９と板ばね５２とで調整機構が構成されている。
【００４０】
図２に示すように、支持テーブル４２には支持部３８が一体に突出して形成されている。この支持部３８は、軸支持部４６と軸支持部４７とを結ぶ線の途中部分の側方で、移送モータＭ２を挟んで前記線と対向する位置に設けられている。支持部３８には、Ｚ１−Ｚ２方向に貫通する支点穴３８ａが形成されており、この支点穴３８ａ内に支点軸３９が挿入されている。図６に示すように、支点軸３９は、丸棒形状の本体部３９ａと、この本体部３９ａの先部に突出する小径の雄ねじ部３９ｂと、本体部３９ａの基部に設けられた頭部３９ｃを有している。
【００４１】
図６に示すように、支点軸３９は、本体部３９ａが、支点穴３８ａ内に隙間を有して挿入されて、雄ねじ部３９ｂがドライブベース８の上面板８ａに螺着されている。そして、本体部３９ａの外周に圧縮コイルばね３７が設けられ、この圧縮コイルばね３７により、支持テーブル４２の支持部３８が、支点軸３９の頭部３９ｃに押し付けられている。
【００４２】
図２と図３および図５に示すように、ピニオン歯車４３とヘッド１８との間には、動力を伝達する移送機構としてラック部材４１が設けられている。このラック部材４１は、取付け部４１ａが、ヘッドベース１７の側部底面に固定されている。取付け部４１ａの固定位置は、基準シャフト１６Ａに近い側であり、軸受部１７ａと軸受部１７ａとの間である。ラック部材４１の歯４１ｂは、ヘッド１８の移動方向であるＰ−Ｑ方向に沿って並んでおり、この歯４１ｂがピニオン歯車４３と噛み合っている。なお、ラック部材４１は、２つのラックが重ねられて、一方が他方に対してＰ方向またはＱ方向へばねで付勢されている。その結果、２つのラックの歯で、ピニオン歯車４３の歯が挟まれ、噛み合い部のバックラッシュの発生が抑制されている。
【００４３】
前記調整ねじ４８の締め付け量を調整することにより、基準シャフト１６Ａの端部１６Ａ１と上面板８ａとの距離が変化するとともに、支持テーブル４２の軸支持部４６と上面板８ａとの距離も変化する。また、調整ねじ４９の締め付け量を調整することにより、基準シャフト１６Ａの端部１６Ａ２と上面板８ａとの距離が変化するとともに、支持テーブル４２の軸支持部４７と上面板８ａとの距離も変化する。このとき、支持テーブル４２は、図６に示す支持部３８と支点軸３９の頭部３９ｃとの当接点を支点として傾斜する。
【００４４】
支持テーブル４２と基準シャフト１６Ａは一体となって傾斜し、ヘッド１８に設けられたラック部材４１も基準シャフト１６Ａと一体となって傾斜する。そのため、ラック部材４１と、支持テーブル４２に固定された移送モータＭ２との相対位置が変わることがない。そのため、ピニオン歯車４３とラック部材４１との噛み合い状態を常に最適に維持できる。
【００４５】
案内シャフト１６Ｂの取付け部として、ドライブベース８の上面板８ａのＰ方向側には、金具５４が設けられている。この金具５４には調整ねじ６２が挿入され、この調整ねじ６２が上面板８ａに螺着されている。金具５４は押圧部５４ａを有しており、この押圧部５４ａによって、案内シャフト１６ＢのＰ側の端部１６Ｂ１が上面板８ａに向けて押圧される。また、上面板８ａには案内シャフト１６Ｂの端部１６Ｂ１をＺ２方向へ付勢するばねが設けられている。よって、調整ねじ６２のねじ込み量を調整することで、端部１６Ｂ１と上面板８ａとの距離を調整できる。
【００４６】
同様に、Ｑ側には金具５５が設けられている。金具５５に挿通された調整ねじ６３が上面板８ａに螺着されて、金具５５に形成された押圧部５５ａによって、案内シャフト１６ＢのＱ側の端部１６Ｂ２が上面板８ａに向けて押し付けられている。また、端部１６Ｂ２をＺ２方向へ付勢する、図示しないばねが設けられ、調整ねじ６３のねじ込み量を調整することにより、案内シャフト１６Ｂの端部１６Ｂ２と上面板８ａとの間隔を変えることができる。よって、調整ねじ６２と６３をねじ込むことにより、案内シャフト１６Ｂの傾きと、さらに上面板８ａからの距離の調整が可能である。
【００４７】
このディスク装置１では、調整ねじ４８と４９のねじ込み量を変えることにより、基準シャフト１６Ａの傾きと、基準シャフト１６Ａの上面板８ａからの距離を変えることができる。さらに、調整ねじ６２と６３のねじ込み量を変えることにより、案内シャフト１６Ｂの傾きと、案内シャフト１６Ｂの上面板８ａからの距離を変えることができる。
【００４８】
基準シャフト１６Ａと案内シャフト１６Ｂの姿勢を独立して変えることにより、ヘッド１８に設けられた対物レンズの光軸の倒れ方向を、ディスクを基準としてタンゼンシャル方向とラジアル方向の双方に向けて調整できる。しかも、この調整の間、ラック部材４１とピニオン歯車４３との相対位置が変化しない。よって、移送モータＭ２の動力によりピニオン歯車４３が回転し、ラック部材４１に動力が伝達されて、ヘッド１８がＰ−Ｑ方向へ往復移動する間、ラック部材４１とピニオン歯車４３とが噛み合い状態を維持できる。また、ピニオン歯車４３とラック部材４１とが常に適正に噛み合っているため、移送モータＭ２に過大な負荷が作用するのも防止できる。
【図面の簡単な説明】
【００４９】
【図１】本発明の実施の形態のディスク装置を、底面を紙面の手前に向けて示す底面図、
【図２】ディスク装置に設けられた機構ユニットを、底面を上に向けて示す分解斜視図、
【図３】機構ユニットを、底面を紙面の手前側に向けて示す底面図、
【図４】（Ａ）は図３のＡ−Ａ線で切断したときの断面図、（Ｂ）は図３のＢ−Ｂ線で切断したときの断面図、
【図５】支持テーブルの支点部の構成を示す部分斜視図、
【図６】図５に示す支点部の断面図、
【符号の説明】
【００５０】
１  ディスク装置
２  機構ユニット
４  回転駆動部
５  スピンドルモータ
８  ドライブベース
１５  ターンテーブル
１６Ａ  基準シャフト
１６Ｂ  案内シャフト
１７  ヘッドベース
１８  ヘッド
３８  支持部
３９  支点軸
４１  ラック部材
４３  ピニオン歯車
４４  保持金具
４６  軸支持部
４６ａ  保持凹部
４７  軸支持部
４７ａ  保持凹部
４８，４９  調整ねじ
５１，５２  板ばね
【図１】
2008090960.tif 000003
【図２】
2008090960.tif 000004
【図３】
2008090960.tif 000005
【図４】
2008090960.tif 000006
【図５】
2008090960.tif 000007
【図６】
2008090960.tif 000008